(57)【特許請求の範囲】
【請求項１】
広告を表示してその広告の視聴者を撮像するサイネージ装置から、前記広告の視聴者に関連する情報を取得する視聴者情報取得手段と、
前記視聴者情報取得手段が取得した前記視聴者に関連する情報と、店舗内を撮像して取得した来店者情報とを比較して、前記広告の視聴者が来店したか否かを判定する来店判定手段と、
前記広告の視聴者が来店した場合に、来店した視聴者が視聴していた広告に含まれる商品の情報を、前記視聴者を特定する視聴者情報と共に店舗に通知する通知手段と
を備えたサイネージ管理サーバと、
前記店舗において前記広告の視聴者が来店した場合に、来店した前記視聴者が来店前に視聴していた広告に含まれる商品の情報、及び、前記視聴者を特定する視聴者情報を前記通知手段から受信し、前記店舗の店員に対して表示する表示装置と、
を含む情報処理システム。
【請求項２】
前記来店判定手段の判定結果に応じて前記広告を評価する評価手段をさらに備えたことを特徴とする請求項１に記載の情報処理システム。
【請求項３】
前記広告の視聴者が商品を購入したか否かを判定する購入判定手段をさらに備え、
前記評価手段は、前記購入判定手段の判定結果に応じて前記広告を評価することを特徴とする請求項２に記載の情報処理システム。
【請求項４】
前記広告の視聴者が購入した商品が、前記広告に含まれる商品情報と適合しているか否かを判定するマッチング判定手段をさらに備え、
前記評価手段は、前記マッチング判定手段の判定結果に応じて前記広告を評価することを特徴とする請求項２または３に記載の情報処理システム。
【請求項５】
前記評価手段による評価結果に応じて、前記サイネージ装置における前記広告の表示態様を変更する表示態様制御手段をさらに備えたことを特徴とする請求項２乃至４のいずれか１項に記載の情報処理システム。
【請求項６】
サイネージ管理サーバが、広告を表示してその広告の視聴者を撮像するサイネージ装置から、前記広告の視聴者に関連する情報を取得する視聴者情報取得ステップと、
前記サイネージ管理サーバが、前記視聴者情報取得ステップで取得した前記視聴者に関連する情報と、店舗内を撮像して取得した来店者情報とを比較して、前記広告の視聴者が来店したか否かを判定する来店判定ステップと、
前記サイネージ管理サーバが、前記広告の視聴者が来店した場合に、来店した視聴者が視聴していた広告に含まれる商品の情報を、前記視聴者を特定する視聴者情報と共に店舗に通知する通知ステップと、
前記店舗内の表示装置が、前記店舗において前記広告の視聴者が来店した場合に、来店した前記視聴者が来店前に視聴していた広告に含まれる商品の情報、及び、前記視聴者を特定する視聴者情報を、前記店舗の店員に対して表示する表示ステップと、
を含む情報処理方法。
【請求項７】
広告を表示してその広告の視聴者を撮像するサイネージ装置と、
前記広告によって集客しようとする店舗において、前記サイネージ装置から取得した前記サイネージ装置の視聴者に関連する情報と、店舗内を撮像して取得した来店者情報とを比較して、来店している顧客の情報を取得する顧客情報取得装置と、
前記店舗において前記店舗に来店した前記視聴者についての情報を店員に表示する表示装置と、
前記サイネージ装置および前記顧客情報取得装置との間でネットワークを介して接続されたサイネージ管理サーバと、
を備えた情報処理システムであって、
前記サイネージ管理サーバは、
前記サイネージ装置から、前記広告の視聴者に関連する情報を取得する視聴者情報取得手段と、
店舗内の状況から、前記広告の視聴者が来店したか否かを判定する来店判定手段と、
前記広告の視聴者が来店した場合に、来店した視聴者が視聴していた広告に含まれる商品の情報を、前記視聴者を特定する視聴者情報と共に店舗に通知する通知手段と
を備え、
前記表示装置は、
前記店舗において前記広告の視聴者が来店した場合に、来店した前記視聴者が来店前に視聴していた広告に含まれる商品の情報、及び、前記視聴者を特定する視聴者情報を、前記店舗の店員に対して表示する情報処理システム。
【請求項８】
広告を表示してその広告の視聴者を撮像するサイネージ装置から、前記広告の視聴者に関連する情報を取得する視聴者情報取得手段と、
前記視聴者情報取得手段が取得した前記視聴者に関連する情報と、店舗内を撮像して取得した来店者情報とを比較して、前記広告の視聴者が来店したか否かを判定する来店判定手段と、
前記広告の視聴者が来店した場合に、来店した視聴者が視聴していた広告に含まれる商品の情報を、前記視聴者を特定する視聴者情報と共に前記店舗に設けられた表示装置に通知する通知手段と、
備え、
前記広告の視聴者が来店した場合に、来店した前記視聴者が来店前に視聴していた広告に含まれる商品の情報、及び、前記視聴者を特定する視聴者情報を、前記表示装置を介して前記店舗の店員に対して提示させる情報処理装置。
【請求項９】
サイネージ管理サーバが、広告を表示してその広告の視聴者を撮像するサイネージ装置から、前記広告の視聴者に関連する情報を取得する視聴者情報取得ステップと、
前記サイネージ管理サーバが、前記視聴者情報取得ステップで取得した前記視聴者に関連する情報と、店舗内を撮像して取得した来店者情報とを比較して、前記広告の視聴者が来店したか否かを判定する来店判定ステップと、
前記広告の視聴者が来店した場合に、来店した視聴者が視聴していた広告に含まれる商品の情報を、前記視聴者を特定する視聴者情報と共に前記サイネージ管理サーバが前記サイネージ装置から取得し、前記店舗に設けられた表示装置に通知する通知ステップと
を含み、
前記広告の視聴者が来店した場合に、来店した前記視聴者が来店前に視聴していた広告に含まれる商品の情報、及び、前記視聴者を特定する視聴者情報を前記店舗の店員に対して提示させる情報処理方法。
【請求項１０】
サイネージ管理サーバが、広告を表示してその広告の視聴者を撮像するサイネージ装置から、前記広告の視聴者に関連する情報を取得する視聴者情報取得ステップと、
前記サイネージ管理サーバが、前記視聴者情報取得ステップで取得した前記視聴者に関連する情報と、店舗内を撮像して取得した来店者情報とを比較して、前記広告の視聴者が来店したか否かを判定する来店判定ステップと、
前記広告の視聴者が来店した場合に、来店した視聴者が視聴していた広告に含まれる商品の情報を、前記視聴者を特定する視聴者情報と共に前記サイネージ管理サーバが前記サイネージ装置から取得し、前記店舗に設けられた表示装置に通知する通知ステップと
をコンピュータに実行させ、
前記広告の視聴者が来店した場合に、来店した前記視聴者が来店前に視聴していた広告に含まれる商品の情報、及び、前記視聴者を特定する視聴者情報を前記店舗の店員に対して提示させる情報処理プログラム。
【発明の詳細な説明】
【技術分野】
【０００１】
本発明は、広告コンテンツの効果を評価する技術に関する。
【背景技術】
【０００２】
上記技術分野において、特許文献１に示されているように、表示広告と来店行動との関連性を図る技術が知られている。
【先行技術文献】
【特許文献】
【０００３】
【特許文献１】特開２００８−１０２１７６号公報
【発明の概要】
【発明が解決しようとする課題】
【０００４】
しかしながら、上記従来技術では、広告と来店との関連性を評価するのみであり、店舗側で、広告の視聴者を把握することはできなかった。
【０００５】
本発明の目的は、上述の課題を解決する技術を提供することにある。
【課題を解決するための手段】
【０００６】
上記目的を達成するため、本発明に係る情報処理システムは、
広告を表示してその広告の視聴者を撮像するサイネージ装置から、前記広告の視聴者に関連する情報を取得する視聴者情報取得手段と、
前記視聴者情報取得手段が取得した前記視聴者に関連する情報と、店舗内を撮像して取得した来店者情報とを比較して、前記広告の視聴者が来店したか否かを判定する来店判定手段と、
前記広告の視聴者が来店した場合に、来店した視聴者が視聴していた広告に含まれる商品の情報を、前記視聴者を特定する視聴者情報と共に店舗に通知する通知手段と
を備えたサイネージ管理サーバと、
前記店舗において前記広告の視聴者が来店した場合に、来店した前記視聴者が来店前に視聴していた広告に含まれる商品の情報、及び、前記視聴者を特定する視聴者情報を前記通知手段から受信し、前記店舗の店員に対して表示する表示装置と、
を含む。
【０００７】
上記目的を達成するため、本発明に係る情報処理方法は、
サイネージ管理サーバが、広告を表示してその広告の視聴者を撮像するサイネージ装置から、前記広告の視聴者に関連する情報を取得する視聴者情報取得ステップと、
前記サイネージ管理サーバが、前記視聴者情報取得ステップで取得した前記視聴者に関連する情報と、店舗内を撮像して取得した来店者情報とを比較して、前記広告の視聴者が来店したか否かを判定する来店判定ステップと、
前記サイネージ管理サーバが、前記広告の視聴者が来店した場合に、来店した視聴者が視聴していた広告に含まれる商品の情報を、前記視聴者を特定する視聴者情報と共に店舗に通知する通知ステップと、
前記店舗内の表示装置が、前記店舗において前記広告の視聴者が来店した場合に、来店した前記視聴者が来店前に視聴していた広告に含まれる商品の情報、及び、前記視聴者を特定する視聴者情報を、前記店舗の店員に対して表示する表示ステップと、
を含む。
【０００８】
上記目的を達成するため、本発明に係る情報処理システムは、
広告を表示してその広告の視聴者を撮像するサイネージ装置と、
前記広告によって集客しようとする店舗において、前記サイネージ装置から取得した前記サイネージ装置の視聴者に関連する情報と、店舗内を撮像して取得した来店者情報とを比較して、来店している顧客の情報を取得する顧客情報取得装置と、
前記店舗において前記店舗に来店した前記視聴者についての情報を店員に表示する表示装置と、
前記サイネージ装置および前記顧客情報取得装置との間でネットワークを介して接続されたサイネージ管理サーバと、
を備えた情報処理システムであって、
前記サイネージ管理サーバは、
前記サイネージ装置から、前記広告の視聴者に関連する情報を取得する視聴者情報取得手段と、
店舗内の状況から、前記広告の視聴者が来店したか否かを判定する来店判定手段と、
前記広告の視聴者が来店した場合に、来店した視聴者が視聴していた広告に含まれる商品の情報を、前記視聴者を特定する視聴者情報と共に店舗に通知する通知手段と
を備え、
前記表示装置は、
前記店舗において前記広告の視聴者が来店した場合に、来店した前記視聴者が来店前に視聴していた広告に含まれる商品の情報、及び、前記視聴者を特定する視聴者情報を、前記店舗の店員に対して表示する。
【０００９】
上記目的を達成するため、本発明に係る情報処理装置は、
広告を表示してその広告の視聴者を撮像するサイネージ装置から、前記広告の視聴者に関連する情報を取得する視聴者情報取得手段と、
前記視聴者情報取得手段が取得した前記視聴者に関連する情報と、店舗内を撮像して取得した来店者情報とを比較して、前記広告の視聴者が来店したか否かを判定する来店判定手段と、
前記広告の視聴者が来店した場合に、来店した視聴者が視聴していた広告に含まれる商品の情報を、前記視聴者を特定する視聴者情報と共に前記店舗に設けられた表示装置に通知する通知手段と、
備え、
前記広告の視聴者が来店した場合に、来店した前記視聴者が来店前に視聴していた広告に含まれる商品の情報、及び、前記視聴者を特定する視聴者情報を、前記表示装置を介して前記店舗の店員に対して提示させる。
【００１０】
上記目的を達成するため、本発明に係る情報処理方法は、
サイネージ管理サーバが、広告を表示してその広告の視聴者を撮像するサイネージ装置から、前記広告の視聴者に関連する情報を取得する視聴者情報取得ステップと、
前記サイネージ管理サーバが、前記視聴者情報取得ステップで取得した前記視聴者に関連する情報と、店舗内を撮像して取得した来店者情報とを比較して、前記広告の視聴者が来店したか否かを判定する来店判定ステップと、
前記サイネージ管理サーバが、前記広告の視聴者が来店した場合に、来店した視聴者が視聴していた広告に含まれる商品の情報を、前記視聴者を特定する視聴者情報と共に店舗に通知する通知ステップと、
前記店舗内の表示装置が、前記店舗において前記広告の視聴者が来店した場合に、来店した前記視聴者が来店前に視聴していた広告に含まれる商品の情報、及び、前記視聴者を特定する視聴者情報を、前記店舗の店員に対して表示する表示ステップと、
を含む。
【発明の効果】
【００１１】
上記目的を達成するため、本発明に係る情報処理プログラムは、
サイネージ管理サーバが、広告を表示してその広告の視聴者を撮像するサイネージ装置から、前記広告の視聴者に関連する情報を取得する視聴者情報取得ステップと、
前記サイネージ管理サーバが、前記視聴者情報取得ステップで取得した前記視聴者に関連する情報と、店舗内を撮像して取得した来店者情報とを比較して、前記広告の視聴者が来店したか否かを判定する来店判定ステップと、
前記広告の視聴者が来店した場合に、来店した視聴者が視聴していた広告に含まれる商品の情報を、前記視聴者を特定する視聴者情報と共に前記サイネージ管理サーバが前記サイネージ装置から取得し、前記店舗に設けられた表示装置に通知する通知ステップと
をコンピュータに実行させ、
前記広告の視聴者が来店した場合に、来店した前記視聴者が来店前に視聴していた広告に含まれる商品の情報、及び、前記視聴者を特定する視聴者情報を前記店舗の店員に対して提示させる。
【図面の簡単な説明】
【００１２】
【図１】本発明の第１実施形態に係る情報処理装置の構成を示すブロック図である。
【図２】本発明の第２実施形態に係る情報処理システムの利用例を示すブロック図である。
【図３】本発明の第２実施形態に係る情報処理システムの構成を示すブロック図である。
【図４】本発明の第２実施形態に係る情報処理システムにおいて、サイネージ広告の評価方法を示す図である。
【図５】本発明の第２実施形態に係る情報処理システムで用いられる視聴者データベースを示す図である。
【図６】本発明の第２実施形態に係る情報処理システムで用いられるサイネージ広告データベースを示す図である。
【図７】本発明の第２実施形態に係る情報処理システムで用いられるサイネージ広告表示態様決定基準データベースを示す図である。
【図８】本発明の第２実施形態に係る情報処理システムで行なわれる処理の流れを示すフローチャートである。
【図９】本発明の第２実施形態に係る情報処理システムで行なわれる処理の流れを示すフローチャートである。
【図１０】本発明の第２実施形態に係るサイネージ管理サーバのハードウェア構成を示すブロック図である。
【発明を実施するための形態】
【００１３】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１４】
（第１実施形態）
本発明の第１実施形態としての情報処理装置１００について、図１を用いて説明する。情報処理装置１００は、広告表示装置１５０からの情報を効果的に店舗１６０に伝える装置である。
【００１５】
図１に示すように、情報処理装置１００は、視聴者情報取得部１０１と来店判定部１０２と通知部１０３とを含む。
【００１６】
視聴者情報取得部１０１は、広告を表示してその広告の視聴者を撮像する広告表示装置１５０から、広告の視聴者に関連する情報を取得する。来店判定部１０２は、店舗内の状況から、広告の視聴者が来店したか否かを判定する。通知部１０３は、広告の視聴者が来店した場合に、来店した視聴者が視聴していた広告に含まれる商品情報を、視聴者を特定する視聴者情報と共に店舗に通知する。
【００１７】
以上の構成によれば、店舗は、広告表示装置に表示された広告を視聴した視聴者が来店したことをいち早く知ることができ、効果的な顧客サービスの提供につなげることができる。
【００１８】
（第２実施形態）
次に本発明の第２実施形態に係る情報処理システム２００について、図２を用いて説明する。図２は、本実施形態に係る情報処理システム２００を用いたサービスの提供方法を説明するための図である。
【００１９】
情報処理システム２００は、街頭や屋内の通路など、店舗２０４の潜在顧客が行き交う場所に設置されたデジタルサイネージ２５０を含む。逆に言えば、店舗２０４は、デジタルサイネージ２５０で表示される広告によって集客しようとする店舗である。デジタルサイネージ２５０は、広告情報をデジタル表示すると共に、内蔵カメラ２５１で、広告の視聴者を撮影する。撮影された画像は、サイネージ管理サーバ２６０に送られる。サイネージ管理サーバ２６０は、視聴者画像からその視聴者の特徴や属性（性別、年齢、服装など）を判別する。
【００２０】
店舗２０４に来店があると、店内カメラ２０５、２０９がその様子を撮像してサイネージ管理サーバ２６０に送信する。サイネージ管理サーバ２６０は、来店者の特徴や属性（性別、年齢、服装など）を判別する。
【００２１】
サイネージ管理サーバ２６０は、集めた情報から、広告の視聴者が来店したか否かを判定し、広告の視聴者が来店した場合に、来店した視聴者が視聴していた広告に含まれる商品情報を、視聴者を特定する視聴者情報と共に店舗２０４に通知する。店舗２０４では、ＰＯＳ（Point of sale system）端末２０８が表示装置として機能し、サイネージ管理サーバ２６０から通知された商品情報および視聴者情報を表示する。
【００２２】
これにより、店員２０７は、単なる顧客と、デジタルサイネージ２５０を視聴して来店した顧客２０２とを区別することが可能となる。さらに、店員２０７は、来店した顧客２０２がどのような商品の広告をデジタルサイネージ２５０で視聴してから店を訪れたのかまで把握することができるため、効果的な接客を行なうことが可能となる。
【００２３】
図３は、本実施形態に係る情報処理システム２００の機能構成図である。図２でも示したように、情報処理システム２００は、カメラ２５１付きのデジタルサイネージ２５０と、サイネージ管理サーバ２６０と、店舗システム３０１とを含み、それらは互いに、ネットワーク３０２を介して接続されている。
【００２４】
サイネージ管理サーバ２６０は、視聴者情報取得部３１１、店舗情報取得部３１２、来店判定部３１３、購入判定部３１４、マッチング判定部３１５、通知部３１６、広告評価部３１７、広告表示制御部３１８およびサイネージデータベース３１９を備えている。
【００２５】
視聴者情報取得部３１１は、デジタルサイネージ２５０のカメラ２５１において撮像された視聴者画像を取得し、分析する。そして、分析結果としての視聴者の特徴量や属性（顔特徴量、服装、体型、年齢、性別）を、視聴していた広告情報と共に、サイネージデータベース３１９中の、サイネージ視聴者データベース５００に格納する。
【００２６】
店舗情報取得部３１２は、店舗システム３０１から店舗情報（店舗内顧客情報）を取得する。特に、店舗内に設置されたカメラ２０５、２０９などで撮像した店舗内にいる顧客の映像を取得し、分析して、店舗内の顧客の特徴や属性を来店判定部３１３に渡す。
【００２７】
来店判定部３１３は、店舗内の顧客の特徴や属性を店舗情報取得部３１２から受け取ると、サイネージ視聴者データベース５００に対し、同じ特徴や属性を有する視聴者がいないか検索する。来店者と同じ特徴や属性を有する視聴者が見つかれば、デジタルサイネージ２５０を見たことがきっかけになって来店したものと判断する。その時点で、広告評価部３１７に、来店を促した広告の識別子を送って広告評価を更新させる。
【００２８】
購入判定部３１４は、撮像装置２０９付きのＰＯＳ端末２０８から商品購入情報を取得することにより、デジタルサイネージ２５０を見てから来店したと判定された顧客が商品を購入したか否かを判定する。デジタルサイネージ２５０の視聴者が来店して商品を購入した場合には、その判定結果を、マッチング判定部３１５および広告評価部３１７に送る。そして、広告評価部３１７は、商品購入を促した広告の評価を行なう。
【００２９】
マッチング判定部３１５は、購入された商品と、視聴者が視聴した広告に含まれる商品とが適合しているか否かを判定する。それらの商品が一致していれば、その旨を広告評価部３１７に送る。広告評価部３１７は、広告を行なった商品がうまく売れたことになるため、その広告を高く評価する。
【００３０】
広告表示制御部３１８は、広告評価部３１７による評価結果を積算して、デジタルサイネージ２５０における広告の表示態様を変更する。具体的には、評価の高い広告を大きく、長く表示し、一方で評価の低い広告は小さく、短く表示する。特に評価の低い広告については表示を中止する。その基準は、サイネージ広告表示態様決定基準データベース７００に保存されている。
【００３１】
サイネージデータベース３１９はサイネージ視聴者データベース５００と、サイネージ広告データベース６００と、サイネージ広告表示態様決定基準データベース７００とを含む。
【００３２】
図４は、以上の情報処理システム２００において、広告を評価する方法の一例について説明するための図である。図４に示すテーブル４００によれば、広告の視聴がなければ０点、広告を視聴しただけで、その広告を出した店舗に来店しなかった場合には１点をその広告に付与する。具体的にはサイネージ広告データベース６００において、広告ＩＤで特定される広告に対して店数を加算する。一方、広告の視聴があって来店はしたものの購入に至らなかった場合には、その視聴者ごとに３点を加算する。さらに、広告視聴して来店して商品を購入したが、その購入商品が、広告対象となっていた商品と異なる場合には、４点を加算する。最後に、サイネージの広告を視聴して来店し、広告で狙った通りの商品を購入した場合には、その広告の評価点数に６点加算する。そのようにすることで、実に適確に広告効果を評価することが可能となる。
【００３３】
図５は、サイネージデータベース３１９内に格納されるサイネージ視聴者データベース５００の一例を示す図である。図５に示すように、サイネージ視聴者情報として、その視聴者の顔の特徴量（目間距離）や服装、体型、年齢、性別などを保存している。これらの視聴者情報は、視聴者を撮像して得られた画像を解析することによって取得されたものである。一方、サイネージ視聴者データベース５００には、その視聴者が見ていた広告のＩＤを登録し、来店があった場合には来店時刻（および／または滞在時間）や購入商品なども、その視聴者に関連付けて登録する。このサイネージ視聴者データベース５００を参照することにより、来店者が、何処でどのような広告を見て何時来店したかを把握することができる。その情報を店舗に伝えることにより、店舗側は、来店者が、どのような商品に興味を持っているのかをあらかじめ把握することが可能となり、より効果的な接客を行なうことができる。なお、このサイネージ視聴者データベース５００は一定時間ごとに更新されることが望ましく、例えば視聴時刻から３時間たてば、サイネージ視聴者としての登録を消去してもよい。言い換えれば、常に３時間以内のサイネージ視聴者のみを登録すればよい。そのようにすることで、サイネージの視聴と来店との関連性を担保することができる。
【００３４】
図６は、サイネージデータベース３１９に格納されるサイネージ広告データベース６００の一例について説明するための図である。サイネージ広告データベース６００は、広告ＩＤごとに、その広告が何処でどのような商品を対象にして放送されるかを登録する。そして広告毎の点数を積算して、その積算値に合わせた表示態様を記憶する。
【００３５】
図７は、広告評価点数の積算値と表示対用途を関連付けて登録したサイネージ広告表示態様決定基準データベース７００の一例を示す図である。サイネージ広告表示態様決定基準データベース７００によれば、点数０から５であれば、小さなサイズで１分以内の表示に留まる。立ち止まってみる視聴者や店舗まで行く視聴者が多いと、点数が高くなり、評価点数が２０点以上となると１０分間最大サイズで表示する。
【００３６】
図８は、情報処理システム２００で行なわれる処理の流れを示すフローチャートである。まず、デジタルサイネージ２５０で、視聴者がサイネージ広告を視聴するとステップＳ８０１からＳ８０２に進み、サイネージ広告データベース６００の広告評価を＋１とする。そしてさらにステップＳ８０３において、デジタルサイネージ２５０に付属のカメラ２５１によって視聴者を撮影し、ユーザ視聴情報をサイネージ管理サーバ２６０を介して、サイネージ視聴者データベース５００に格納する。このフローチャートによって、サイネージ広告の視聴者数に応じた広告評価が行なわれる。
【００３７】
図９は、店舗側に来店があった場合に行なわれる処理の流れを説明するためのフローチャートである。まず、店舗に来店した顧客がいる場合、ステップＳ９０１において、店舗内カメラで撮像された顧客の人物特徴量を取得し、店舗内顧客情報として、サイネージ管理サーバ２６０内に一時保存する。
【００３８】
次に、来店判定部３１３は、店舗内顧客情報として保存された人物の特徴量と、サイネージ視聴者データベース５００に保存されているサイネージ視聴者の特徴量とを比較して、同一人物か否か判定する。
【００３９】
同一人物と判定した場合には、ステップＳ９０５に進み、サイネージ視聴者の特徴と、そのサイネージ視聴者が視聴した広告の内容（商品）を店舗に通知する。具体的には、通知部３１６が、店舗内のＰＯＳ端末２０８に対し、「サイネージを視聴したお客様がいらっしゃいました。商品○○に興味がおありのようです」などといったメッセージを表示する。
【００４０】
店舗の店員は、そのようなメッセージを見ることによって、サイネージ視聴者に対して、特別な対応および商品の提示を行なうことができる。サイネージを視聴して来店した場合には、明確な目的（商品）があると考えられるため、重点的な対応を行なうことにより、効率的に商品の販売を行なうことが可能となる。
【００４１】
次に、ステップＳ９０７では、来店した視聴者が視聴していたサイネージ広告について、広告評価をプラス１する。
【００４２】
さらに、ステップＳ９０９では、その来店した視聴者が商品を購入したか否かをＰＯＳ端末２０８を利用して判断する。来店視聴者が商品を購入した場合には、ステップＳ９１１において、その視聴者が視聴した広告の評価をさらにプラス１する。
【００４３】
視聴者が来店したにも拘わらず商品を購入しなかった場合、ステップＳ９１７に進み、その旨を店舗（例えばＰＯＳ端末２０８）に通知する。この場合、接客や商品の品揃えに問題があったと考えられるため、その後の経営戦略を立てる非常によい材料となる。
【００４４】
一方、来店視聴者が商品を購入した場合にはステップＳ９１１の後で、マッチング判定部３１５において、購入商品と視聴広告内容との関連性があるか否かを判定する。マッチング判定部３１５において、購入商品と視聴広告内容との関連性があると判断された場合には、ステップＳ９１５において、広告評価をプラス２にする。サイネージ広告を視聴した視聴者が来店して、広告の商品を購入したと言うことは、サイネージ広告が十分な力を発揮したと考えられるため最も高い評価とする。この場合にも、ステップＳ９１７では、店舗（例えばＰＯＳ端末２０８）に対し、サイネージ広告を視聴した視聴者が来店して購入した商品について通知する。
【００４５】
最後に、ステップＳ９１９において、広告表示制御部３１８は、サイネージ広告表示態様決定基準データベース７００に基づいた態様で広告を表示すべく、デジタルサイネージ２５０にコマンドを送る。
【００４６】
図１０は、サイネージ管理サーバ２６０のハードウェア構成の一例について説明するための図である。サイネージ管理サーバ２６０は、ＣＰＵ１０１０、ＲＯＭ１０２０、通信制御部１０３０、ＲＡＭ１０４０、およびストレージ１０５０を備えている。ＣＰＵ１０１０は中央処理部であって、様々なプログラムを実行することによりサイネージ管理サーバ２６０全体を制御する。ＲＯＭ１０２０は、リードオンリメモリであり、ＣＰＵ１０１０が最初に実行すべきブートプログラムの他、各種パラメータ等を記憶している。また、ＲＡＭ１０４０は、ランダムアクセスメモリであり、各種アプリケーションモジュールの実行領域１０４４の他、視聴者情報１０４１、店舗情報１０４２、広告評価点１０４３などを一時的に記憶する記憶領域を有している。
【００４７】
ストレージ１０５０は、視聴者情報取得モジュール１０５１、店舗情報取得モジュール１０５２、来店判定モジュール１０５３、購入判定モジュール１０５４、マッチング判定モジュール１０５５、通知モジュール１０５６、広告評価モジュール１０５７、広告表示制御モジュール１０５８およびサイネージデータベース３１９を備えている。
【００４８】
上記モジュール１０５１〜１０５８は、ＣＰＵ１０１０によって、アプリケーション実行領域１０４４に読出され、実行される。それにより、それぞれ、視聴者情報取得部３１１、店舗情報取得部３１２、来店判定部３１３、購入判定部３１４、マッチング判定部３１５、通知部３１６、広告評価部３１７、広告表示制御部３１８として機能する。通信制御部１０３０は、他の端末とのネットワークを介した通信を制御する。
【００４９】
以上の構成によれば、店舗は、広告表示装置に表示された広告を視聴した視聴者が来店したことをいち早く知ることができ、効果的な顧客サービスの提供につなげることができる。また、デジタルサイネージに表示された広告をより精度良く評価することができる。
【００５０】
（他の実施形態）
以上、本発明の実施形態について詳述したが、それぞれの実施形態に含まれる別々の特徴を如何様に組み合わせたシステムまたは装置も、本発明の範疇に含まれる。
【００５１】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。
【図１】
0005408739.tif 000002
【図２】
0005408739.tif 000003
【図３】
0005408739.tif 000004
【図４】
0005408739.tif 000005
【図５】
0005408739.tif 000006
【図６】
0005408739.tif 000007
【図７】
0005408739.tif 000008
【図８】
0005408739.tif 000009
【図９】
0005408739.tif 000010
【図１０】
0005408739.tif 000011